(57)【要約】  【課題】結束や表示タグの取付けが簡単な消耗品を提供する。  【解決手段】連続体1は、一定距離毎に長手方向の左右両側へ交互に屈折してクランク状をなす二本の針金2，3を、それぞれ屈折方向を逆向きにして重ね合せて梯子形に組み、針金にて囲繞された矩形領域を除いてプラスチックフィルム4で被覆してある。矩形領域の一端(C-C)で連続体を切断することで、門形状の一個単位の結束具に分離される。結束具の両脚部の間に結束対象物を挿入して両脚部を捩じり合わせれば、結束対象物が結束され、結束具の頭部に表示タグを貼付したり、引っ掛けたりすることができる。【選択図】図１
2008087841.tif 000002
【特許請求の範囲】
【請求項１】
梯子形芯線部材と、該梯子形芯線部材の芯線素材にて囲繞された領域を除いて該梯子形芯線部材を被覆する被覆部材とからなる連続体。
【請求項２】
上記梯子形芯線部材は、一定距離毎に長手方向の左右両側へ交互に屈折してクランク状をなす二本の芯線素材を、それぞれ屈折方向を逆向きにして重ね合せて形成された請求項１記載の連続体。
【請求項３】
請求項１又は請求項２記載の連続体の芯線素材にて囲繞された領域の長手方向の一方側で、順次上記芯線素材を切断することで、略門形状の一個単位の結束具に分離され、該略門形状の両脚部の間に結束対象物を挿入して該両脚部を捩じり合わせて結束する結束具。
【請求項４】
上記連続体から得られる略門形状の結束具の左右脚部を接続する部位は、情報が表記された表示タグ部材を装着可能に形成されていることを特徴とする請求項１又は請求項２記載の連続体。
【発明の詳細な説明】
【技術分野】
【０００１】
この発明は、棒状や線状の物品を結束したり、袋の口部や首部を結束したりするための結束具を得るための連続体並びに前記連続体から得られる結束具に関するものであり、特に、商品の宣伝文句などの各種情報を表記した表示タグを容易に装着し得る連続体並びに結束具に関するものである。
【背景技術】
【０００２】
例えば、葱やセロリなどの細長い形状の野菜は、粘着テープで小売単位毎に結束して販売店の店頭に並べられることが多い。この場合、結束材として、店名或いは「新鮮野菜」などの単語が印刷された粘着テープを用いることが多いが、キャッチフレーズや生産者名、調理レシピや賞味期限など、より多くの情報を表示したいという販売者側の要望がある。
【０００３】
粘着テープによる結束方法よりも多くの情報を表示したい場合は、紐状結束具に表示タグを取付ける方法が採られている。紐状結束具は特許文献１等に記載のとおり周知のもので、細い軟鉄線やプラスチックワイヤを芯線として樹脂フィルムや紙で被覆した紐状であり、人間の手または専用の結束機により食品などを収容した袋の口または棒状物品などに巻きつけて端部を捻り合せることによって結束対象物が結束される。紐状結束具と表示タグを組合わせて結束する場合は、事前に紐状結束具を表示タグに形成されている小穴に通して結束すれば、紐状結束具から情報を表記した表示タグが吊下がった状態になり、販売促進効果が期待できる。
【特許文献１】特開2000-95267号公報
【発明の開示】
【発明が解決しようとする課題】
【０００４】
結束した商品に表示タグを取付ける場合、従来は表示タグの小穴に紐状結束具を通して結束しているが、結束具挿通作業に手間がかかり、作業効率が悪いという問題がある。そこで、結束具に表示タグを取付ける作業を不要として生産性を向上するために解決すべき技術的課題が生じてくるのであり、本発明は上記課題を解決することを目的とする。
【課題を解決するための手段】
【０００５】
この発明は、上記目的を達成するために提案するものであり、梯子形芯線部材と、該梯子形芯線部材の芯線素材にて囲繞された領域を除いて該梯子形芯線部材を被覆する被覆部材とからなる連続体を提供するものである。
【０００６】
また、上記梯子形芯線部材は、一定距離毎に長手方向の左右両側へ交互に屈折してクランク状をなす二本の芯線素材を、それぞれ屈折方向を逆向きにして重ね合せて形成された連続体を提供するものである。
【０００７】
また、上記連続体の芯線素材にて囲繞された領域の長手方向の一方側で、順次上記芯線素材を切断することで、略門形状の一個単位の結束具に分離され、該略門形状の両脚部の間に結束対象物を挿入して該両脚部を捩じり合わせて結束する結束具を提供するものである。
【０００８】
また、上記連続体から得られる略門形状の結束具の左右脚部を接続する部位は、情報が表記された表示タグ部材を装着可能に形成されていることを特徴とする連続体を提供するものである。
【発明の効果】
【０００９】
本発明の連続体は、梯子形芯線部材の芯線にて囲繞された領域の長手方向の一方側で切断することで、略門形状の一個単位の結束具に分離される。分離された結束具は略門形状であるので、両側の脚部間に結束対象物を挿入して両脚部を捩じり合わせれば結束対象物が結束され、結束対象物に結束具を巻き回す必要がないので結束が極めて簡単である。そして、情報が表記された表示タグ部材を結束具の左右両脚部を接続する部位へ装着可能であり、表示タグの装着も簡単である。
【００１０】
また、連続体から得られる結束具は略門形状であるので、結束作業を機械化するにあたって、紐状結束具を使用する従来型の結束装置とは異なり、結束具を巻き回す機構が不要であるので装置構成が簡単化するという利点がある。
【発明を実施するための最良の形態】
【００１１】
この発明は、梯子形芯線部材と、該梯子形芯線部材の芯線素材にて囲繞された領域を除いて該梯子形芯線部材を被覆する被覆部材とからなる連続体であり、上記構成の連続体を切断することによって得られる略門形状の結束具は、結束及び表示タグの取付けが簡単化することから、結束の手間や結束対象物に情報表示タグを取付ける手間を軽減するという目的を達成できた。
【実施例１】
【００１２】
図１は、複数の結束具を長手方向へ連続させて一体成形した連続体1を示し、芯線素材として二本の軟鉄製針金2，3を並設し、これら二本の針金2，3の上下両面から二枚のプラスチックフィルム4（PE、PET等の熱可塑性樹脂）で挟んで被覆したものである。
【００１３】
二本の針金2，3は、延在する長手方向の一定距離毎に左右側へ交互に略直角に屈折する連続クランク形の形状に折曲げ成形されていて、二本の針金2，3を並行且つ対称に並べ、双方の横桟部分（図１(a)において上下縁部を連結する縦の部分）が重なるように双方を重ね合せて、全体として梯子形芯線部材を構成しており、上下縁部と横桟とで囲まれた矩形部分の領域のプラスチックフィルム4を打抜いて切除してある。
【００１４】
そして、連続体1を打抜き穴5の長手方向一端側の位置（C-C線）で切断することにより、図２に示すように平行な一対の脚部6と、二本の芯線素材が重ね合わされている部位であり、一対の脚部の上端を連結するブリッジ部7とからなる一個単位のステープル形結束具1aに成形される。結束具1aをそのまま手作業で使用する際は、平行な一対の脚部6の間に、袋Pの口を絞って挿入し、一対の脚部6を捻り合わせれば、図３に示すように、袋Pの口が結束具1aによって結束される。結束対象物としては袋の他に葱などの棒状野菜や苗木、その他の棒状物品、配線用電線などが挙げられる。
【００１５】
図４は結束具1aに情報の表示を目的とした表示タグを組合わせて装着する例を示し、図４(a)に示す8はプラスチック片をZ形に折曲げ成形したフックであり、結束具1aの脚部6間のスペースとほぼ等しい横幅を有していて、図４(b)に示すように、結束具1aのブリッジ部7へ下側（図において左側）からフック8の背面側折曲げ部8aを引っ掛ける。図４(c)に示すTは、端部にスリットSを形成した表示タグであり、表示タグTのスリットSにフック8の正面側折曲げ部8bを挿し通して表示タグTを連結することで、表示タグTが結束具1aへ装着される。結束対象物に情報を表示する場合は、結束具1aにフック8及び表示タグTを取付けてから袋や棒状野菜などを結束する方法の他に、図３に示すように、結束具1aによって結束対象物を結束してから結束具1aへフック8と表示タグTを取付けることも可能である。
【実施例２】
【００１６】
図５に示す結束具11aは、ブリッジ部7の片面に両面接着テープ12を貼付したもので、このようにすれば、タグの取付けは更に簡単になり、結束対象物を結束する前、或いは結束した後に結束具11aの両面接着テープ12へ表示タグを貼付けることで、結束具11aへの表示タグの装着が成されて、図６に示すように、袋Pなどの結束対象物に表示タグTを付加することができる。
【実施例３】
【００１７】
実施例１，実施例２においては、人手によって結束具1a，11aを捩じり合わせて結束する説明をしたが、結束具1a，11aは、従来の紐状の結束具とは異なる略門形状を成すステープル形の形状により、機械的に結束を行う装置の構成も簡単化する。図７は、結束具1aを用いて結束を行う結束装置の構成例を示し、(a)は袋Pの口に向けて結束具1aを送出した状態、(b)は(a)から袋Pを除いた状態を示している。
【００１８】
結束装置は、結束具送り機構21と結束具捩じり機構31と結束具切断機構41とによって構成されている。結束具送り機構21は、連続体1の側縁部を上下から挟んで、結束具捩じり機構31に向けて送出する左右二組の送りローラ22であり、結束具捩じり機構31は回転軸32の先端部に二つのフック33を180度回転対称に取付けて略S字状を成すようにしたものである。結束具送り機構21と結束具捩じり機構31との間に配置した結束具切断機構41は、左右一対の回転式カッター42であり、その背面側に配置された結束具ガイド43の先端面位置で、連続体1を切断する。結束具送り機構21の送り量を制御するか、或いは連続体1の先端が当接するストッパー（図示せず）などの位置決め手段を設けることにより、連続体1は常に図１のC-C線位置で切断される。
【００１９】
結束対象物を結束具送り機構21と結束具捩じり機構31とのスペースに挿入すると、スイッチ又はセンサにより挿入が検知され、結束具送り機構21が起動して連続体1を図７の紙面奥方向から手前方向に送出し、図７(a)に示すように先頭の結束具1aの脚部6の間に結束対象物（図においては袋P）が挿入される。このとき、結束具1aの脚部6の先端は、結束具捩じり機構31のフック33よりも前方へ進んでおり、図８に示すように、結束具捩じり機構31が回転を開始して結束具1aの左右の脚部6を捩じり合わせる。
【００２０】
続いて、図９に示すように、結束具切断機構41が起動して先頭の結束具1aを後続の連続体1から切離すことにより、結束された袋Pを取出すことができ、結束具切断機構41の回転式カッター42は、図7に示す初期位置へ復帰して停止し、次の結束作業を待機する状態となる。
【００２１】
従来の紐状結束具を用いる結束装置は、結束具を結束対象物に向けて送出し、結束具を結束対象物の周囲に巻き回した後に、捩じり及び切断を行うため、結束具を巻き回す機構を要するが、本発明のステープル形の結束具は、巻き回す工程が不要であるので、装置構成が単純化し、結束処理速度も向上する。
【００２２】
尚、この発明は上記の実施形態に限定するものではなく、この発明の技術的範囲内において種々の改変が可能であり、この発明がそれらの改変されたものに及ぶことは当然である。また、表示タグに表記される情報は、文字や図案などのように印刷や記載によって表記するほか、点字などのように打刻によって表記してもよい。
【図面の簡単な説明】
【００２３】
【図１】本発明の実施の一形態を示し、(a) は連続体の平面図、(b) は連続体の斜視図である。
【図２】一個単位に切断した結束具を示し、(a) は平面図、(b) は斜視図である。
【図３】図２の結束具で袋口を結束した状態の斜視図。
【図４】(a) (b) (b)は、図２の結束具へフックとタグを取付ける工程の解説図。
【図５】結束具の他の実施例を示す斜視図。
【図６】図５の結束具にタグを取付けて袋口を結束した状態の斜視図
【図７】(a)は結束装置の結束具送出し行程を示す斜視図、(b) は(a)から袋を除いた状態の斜視図である。
【図８】結束装置の結束具捩じり行程を示す斜視図。
【図９】結束装置の結束具切断行程を示す斜視図。
【符号の説明】
【００２４】
1      連続体
1a     結束具
2    針金
3      針金
4      プラスチックフィルム
5      打抜き穴
6      脚部
7      ブリッジ部
8      フック
11a    結束具
12     両面接着テープ
21     結束具送り機構
22     送りローラ
31     結束具捩じり機構
32     回転軸
33     フック
41     結束具切断機構
42     回転式カッター
43     結束具ガイド
【図１】
2008087841.tif 000003
【図２】
2008087841.tif 000004
【図３】
2008087841.tif 000005
【図４】
2008087841.tif 000006
【図５】
2008087841.tif 000007
【図６】
2008087841.tif 000008
【図７】
2008087841.tif 000009
【図８】
2008087841.tif 000010
【図９】
2008087841.tif 000011